(57)【要約】【課題】情報記憶媒体に記憶された情報を容易に書き換え可能な情報書き換え装置を提供する。【解決手段】ユーザ応答器３０は、情報記憶媒体であって、ユーザ識別子等のユーザに関する情報を記憶する。命令応答器３２は、命令記憶媒体であって、所定の命令を記憶する。情報書き換え装置２は、命令応答器３２から命令を読み取り、読み取った命令に基づいて、ユーザ応答器３０に記憶された情報を書き換えるための処理を行う。ユーザ応答器読取書込部２６０は、ユーザ応答器３０に記憶された情報を読み取り、また、所定の情報を、ユーザ応答器３０に書き込むための処理を行う。命令応答器読取書込部２６２は、命令応答器３２に記憶された情報を読み取る。【選択図】図１
2011043896.tif 000002
【特許請求の範囲】
【請求項１】
所定の命令を記憶した命令記憶媒体から前記所定の命令を読み取る読み取り手段と、
前記読み取った所定の命令に基づいて、情報記憶媒体に記憶された情報を書き換えるための処理を行う書き換え手段と
を有する情報書き換え装置。
【請求項２】
前記情報記憶媒体は、この情報記憶媒体に関連付けられた残高に関する残高情報を含み、
前記命令記憶媒体は、金額を加算するための加算命令または金額を減算するための減算命令を含み、
前記書き換え手段は、前記加算命令または減算命令に基づいて、前記残高情報を書き換えるための処理を行う
請求項１に記載の情報書き換え装置。
【請求項３】
前記情報記憶媒体は、この情報記憶媒体に関連付けられた通過記録に関する通過記録情報を含み、
前記命令記憶媒体は、前記通過記録情報を書き換えるための通過記録書き換え命令を含み、
前記書き換え手段は、前記通過記録書き換え命令に基づいて、前記通過記録情報を書き換えるための処理を行う
請求項１または２に記載の情報書き換え装置。
【請求項４】
利用者識別子を記憶する識別子記憶媒体から前記利用者識別子を読み取る利用者識別子読み取り手段
をさらに有し、
前記情報記憶媒体は、画像記録媒体に付され、この画像記録媒体に関する画像記録媒体情報と前記利用者識別子とを関連付けて記憶し、
前記書き換え手段は、前記利用者識別子および前記命令に基づいて、前記画像記録媒体情報を書き換えるための処理を行う
請求項１に記載の情報書き換え装置。
【請求項５】
前記情報記憶媒体は、前記利用者識別子について前記記録媒体を利用可能な回数に関する利用制限回数情報を含み、
前記命令記憶媒体は、前記利用制限回数情報を書き換えるための利用制限回数情報書き換え命令を含み、
前記書き換え手段は、前記利用者識別子および前記利用制限回数情報書き換え命令に基づいて、前記利用制限回数情報を書き換えるための処理を行う
請求項４に記載の情報書き換え装置。
【請求項６】
前記情報記憶媒体は、前記利用者識別子について前記記録媒体を利用した回数に関する利用回数情報を含み、
前記命令記憶媒体は、前記利用回数情報を書き換えるための利用回数情報書き換え命令を含み、
前記書き換え手段は、前記利用者識別子および前記利用回数情報書き換え命令に基づいて、前記利用回数情報を書き換えるための処理を行う
請求項４または５に記載の情報書き換え装置。
【請求項７】
所定の命令を記憶した命令記憶媒体から前記所定の命令を読み取る読み取り手段と、
利用者識別子を含む識別子記憶媒体から前記利用者識別子を読み取る利用者識別子読み取り手段と、
画像記録媒体に付され、前記利用者識別子および前記所定の命令に基づいて、この画像記録媒体に関する画像記録媒体情報と前記利用者識別子とを関連付けて記憶する情報記憶媒体に記憶された情報を書き換えるための処理を行う書き換え手段と
を有する画像形成装置。
【請求項８】
所定の命令を記憶した命令記憶媒体と、
所定の情報を記憶した情報記憶媒体と、
前記命令記憶媒体から前記所定の命令を読み取る読み取り手段と、
前記読み取った所定の命令に基づいて、前記情報記憶媒体に記憶された情報を書き換えるための処理を行う書き換え手段と
を有する情報書き換えシステム。
【請求項９】
所定の命令を記憶した命令記憶媒体から前記所定の命令を取得するステップと、
前記取得した所定の命令に基づいて、情報記憶媒体に記憶された情報を書き換えるための処理を行うステップと
をコンピュータに実行させる情報書き換えプログラム。
【発明の詳細な説明】
【技術分野】
【０００１】
本発明は、情報書き換え装置、情報書き換えシステムおよびプログラムに関する。
【背景技術】
【０００２】
特許文献１は、ＩＣカードリーダライタ装置と接続してカードデータを送受信するカードインタフェースを備えており、ＩＣカードとの接続が切断された後であっても、当該カードインタフェースを介して、あたかも携帯電話機自身がＩＣカードであるかのように動作する携帯電話機を開示する。
特許文献２は、ＩＣカード内にデータ移行時に利用する、データ移行部を予め搭載しておき、データ移行時には、旧ＩＣカードと新ＩＣカードに搭載されているデータ移行部を利用してデータの移行を行うシステムを開示する。
特許文献３は、生産者が、情報管理サーバによってＲＦＩＤタグのシリアル番号を暗号化キーとして暗号化された生産者の情報を含む物品情報を、コピー可能枚数と共に、１枚のマスタＲＦＩＤタグに纏めて記録し、情報利用者である流通業者が、ＲＦＩＤリーダでマスタＲＦＩＤタグの情報を読み出し、情報管理サーバに送り、情報管理サーバでは、シリアル番号を復号化キーとして物品情報を復号化するシステムを開示する。
特許文献４は、原稿側非接触型タグからデータを読み取るデータ読取手段と、データ読取手段が上記原稿側非接触型タグから読み取ったデータに制限情報が含まれている場合、その制限情報に基き、画像記録手段または上記データ記録手段の少なくともいずれか一方による記録を制限する記録制限手段と、データ読取手段が原稿側非接触型タグから読み取った制限情報を、データ記録手段が被記録側非接触型タグに記録する場合、その記録される制限情報を変更する制限情報変更手段とを備える画像記録装置を開示する。
特許文献５は、名刺に関わる第１情報を記憶した無線タグＴ１と、名刺の宛先に対して実行するメール送信に関わる第２情報を記憶した無線タグＴ２とに対し、無線通信を介して情報送受信を行うためのアンテナを有し、このアンテナを介し、無線タグＴ１，Ｔ２にそれぞれ記憶された第１情報及び第２情報をそれぞれ取得し、取得した第１情報及び第２情報に基づき、名刺データの宛先に対し、メール送信処理を実行する情報読み取り機能付き情報端末装置を開示する。
【先行技術文献】
【特許文献】
【０００３】
【特許文献１】特開２００５−１８２７０号公報
【特許文献２】特開２００６−３０９４７５号公報
【特許文献３】特開２００７−１１９５２号公報
【特許文献４】特開２００８−７６８５１号公報
【特許文献５】特開２００８−２４２９７０号公報
【発明の概要】
【発明が解決しようとする課題】
【０００４】
本発明の目的は、本構成を有していない場合と比較して、情報記憶媒体に記憶された情報を容易に書き換え可能な情報書き換え装置を提供することである。
【課題を解決するための手段】
【０００５】
［情報書き換え装置］
請求項１にかかる本発明は、所定の命令を記憶した命令記憶媒体から前記所定の命令を読み取る読み取り手段と、前記読み取った所定の命令に基づいて、情報記憶媒体に記憶された情報を書き換えるための処理を行う書き換え手段とを有する情報書き換え装置である。
【０００６】
請求項２にかかる本発明は、前記情報記憶媒体は、この情報記憶媒体に関連付けられた残高に関する残高情報を含み、前記命令記憶媒体は、金額を加算するための加算命令または金額を減算するための減算命令を含み、前記書き換え手段は、前記加算命令または減算命令に基づいて、前記残高情報を書き換えるための処理を行う請求項１に記載の情報書き換え装置である。
【０００７】
請求項３にかかる本発明は、前記情報記憶媒体は、この情報記憶媒体に関連付けられた通過記録に関する通過記録情報を含み、前記命令記憶媒体は、前記通過記録情報を書き換えるための通過記録書き換え命令を含み、前記書き換え手段は、前記通過記録書き換え命令に基づいて、前記通過記録情報を書き換えるための処理を行う請求項１または２に記載の情報書き換え装置である。
【０００８】
請求項４にかかる本発明は、利用者識別子を記憶する識別子記憶媒体から前記利用者識別子を読み取る利用者識別子読み取り手段をさらに有し、前記情報記憶媒体は、画像記録媒体に付され、この画像記録媒体に関する画像記録媒体情報と前記利用者識別子とを関連付けて記憶し、前記書き換え手段は、前記利用者識別子および前記命令に基づいて、前記画像記録媒体情報を書き換えるための処理を行う請求項１に記載の情報書き換え装置である。
【０００９】
請求項５にかかる本発明は、前記情報記憶媒体は、前記利用者識別子について前記記録媒体を利用可能な回数に関する利用制限回数情報を含み、前記命令記憶媒体は、前記利用制限回数情報を書き換えるための利用制限回数情報書き換え命令を含み、前記書き換え手段は、前記利用者識別子および前記利用制限回数情報書き換え命令に基づいて、前記利用制限回数情報を書き換えるための処理を行う請求項４に記載の情報書き換え装置である。
【００１０】
請求項６にかかる本発明は、前記情報記憶媒体は、前記利用者識別子について前記記録媒体を利用した回数に関する利用回数情報を含み、前記命令記憶媒体は、前記利用回数情報を書き換えるための利用回数情報書き換え命令を含み、前記書き換え手段は、前記利用者識別子および前記利用回数情報書き換え命令に基づいて、前記利用回数情報を書き換えるための処理を行う請求項４または５に記載の情報書き換え装置である。
【００１１】
請求項７にかかる本発明は、所定の命令を記憶した命令記憶媒体から前記所定の命令を読み取る読み取り手段と、利用者識別子を含む識別子記憶媒体から前記利用者識別子を読み取る利用者識別子読み取り手段と、画像記録媒体に付され、前記利用者識別子および前記所定の命令に基づいて、この画像記録媒体に関する画像記録媒体情報と前記利用者識別子とを関連付けて記憶する情報記憶媒体に記憶された情報を書き換えるための処理を行う書き換え手段とを有する画像形成装置である。
【００１２】
請求項８にかかる本発明は、所定の命令を記憶した命令記憶媒体と、所定の情報を記憶した情報記憶媒体と、前記命令記憶媒体から前記所定の命令を読み取る読み取り手段と、前記読み取った所定の命令に基づいて、前記情報記憶媒体に記憶された情報を書き換えるための処理を行う書き換え手段とを有する情報書き換えシステムである。
【００１３】
請求項９にかかる本発明は、所定の命令を記憶した命令記憶媒体から前記所定の命令を取得するステップと、前記取得した所定の命令に基づいて、情報記憶媒体に記憶された情報を書き換えるための処理を行うステップとをコンピュータに実行させる情報書き換えプログラムである。
【発明の効果】
【００１４】
請求項１に係る本発明によれば、本構成を有していない場合と比較して、情報記憶媒体に記憶された情報を容易に書き換え可能な情報書き換え装置を提供できる。
【００１５】
請求項２に係る本発明によれば、請求項１に係る本発明により得られる効果に加えて、本構成を有していない場合と比較して、容易かつ正確に残高情報を書き換えることができる。
【００１６】
請求項３に係る本発明によれば、請求項１に係る本発明により得られる効果に加えて、本構成を有していない場合と比較して、容易かつ正確に通過記録情報を書き換えることができる。
【００１７】
請求項４に係る本発明によれば、請求項１に係る本発明により得られる効果に加えて、記録媒体に付された情報記憶媒体に含まれる情報を、サーバ等にアクセスすることなく、書き換えることができる。
【００１８】
請求項５に係る本発明によれば、請求項４に係る本発明により得られる効果に加えて、本構成を有していない場合と比較して、容易かつ正確に利用制限回数情報を書き換えることができる。
【００１９】
請求項６に係る本発明によれば、請求項４に係る本発明により得られる効果に加えて、本構成を有していない場合と比較して、容易かつ正確に利用回数情報を書き換えることができる。
【００２０】
請求項７に係る本発明によれば、本構成を有していない場合と比較して、情報記憶媒体に記憶された情報を容易に書き換え可能な画像形成装置を提供できる。
【００２１】
請求項８に係る本発明によれば、本構成を有していない場合と比較して、情報記憶媒体に記憶された情報を容易に書き換え可能な情報書き換えシステムを提供できる。
【００２２】
請求項９に係る本発明によれば、本構成を有していない場合と比較して、情報記憶媒体に記憶された情報を容易に書き換え可能な情報書き換えプログラムを提供できる。
【図面の簡単な説明】
【００２３】
【図１】本実施形態にかかる情報書き換えシステムの構成を例示する図である。
【図２】ユーザ応答器読取書込部および命令応答器読取書込部のハードウェア構成を例示するである。
【図３】ユーザ応答器および命令応答器のハードウェア構成を例示する図である。
【図４】図１に示した情報書き換え装置において動作する情報書き換えプログラムを示すブロック・ダイアグラムである。
【図５】各情報の構成を例示する図である。
【図６】情報書き換え装置の処理を示すフローチャートである。
【図７】ユーザ応答器の処理を示すフローチャートである。
【図８】第２の実施形態にかかる画像形成装置の構成を例示する図である。
【図９】図８に示した画像形成装置において動作する情報書き換えプログラムを示すブロック・ダイアグラムである。
【図１０】各情報の構成を例示する図である。
【図１１】画像形成装置の処理を示すフローチャートである。
【発明を実施するための形態】
【００２４】
［第１実施形態］
まず、第１の実施形態における情報書き換えシステム１の構成を説明する。
図１は、本実施形態にかかる情報書き換えシステム１の構成を例示する図である。
図１に示すように、情報書き換えシステム１は、情報書き換え装置２、ユーザ応答器３０および命令応答器３２から構成される。
ユーザ応答器３０は、情報記憶媒体であって、ＬＥＤ３０２を有し、ユーザ識別子等のユーザに関する情報（ユーザ情報）を記憶する。
命令応答器３２は、命令記憶媒体であって、所定の命令（命令情報）を記憶する。
情報書き換え装置２は、命令応答器３２から命令を読み取り、読み取った命令に基づいて、ユーザ応答器３０に記憶された情報を書き換えるための処理を行う。
【００２５】
図１に示すように、情報書き換え装置２は、ＣＰＵ等の演算部２１２及びメモリ等の記憶部２１４などを含む制御装置２１と、通信装置２２と、記録装置２４と、ユーザインターフェース装置（ＵＩ装置）２５と、読取書込装置２６とから構成される。
つまり、情報書き換え装置２は、情報処理および他の処理装置又は端末との通信が可能なコンピュータとしてのハードウェア構成部分を有している。
また、以下の各図において、実質的に同じ構成部分および処理には同じ番号が付される。
【００２６】
ＵＩ装置２５は、ＬＣＤ（Liquid Crystal Display）表示装置あるいはＣＲＴ（Cathode Ray Tube）表示装置等の表示装置およびキーボード・タッチパネルなどを含む。
読取書込装置２６は、ユーザ応答器読取書込部２６０および命令応答器読取書込部２６２から構成される。
ユーザ応答器読取書込部２６０は、ユーザ応答器３０に記憶された情報を読み取り、また、ＵＩ装置２５又は制御装置２１等によって作成された所定の情報を、ユーザ応答器３０に書き込むための処理を行う。
命令応答器読取書込部２６２は、命令応答器３２に記憶された情報を読み取り、また、ＵＩ装置２５又は制御装置２１等によって作成された所定の情報を、命令応答器３２に書き込むための処理を行う。
【００２７】
図２は、ユーザ応答器読取書込部２６０および命令応答器読取書込部２６２のハードウェア構成を例示する図である。
図２に示すように、ユーザ応答器読取書込部２６０および命令応答器読取書込部２６２は、アンテナ２６４、送受信制御部２６６、変調回路２６８、送信回路２７０、受信回路２７２および復調回路２７４から構成される。
【００２８】
ユーザ応答器読取書込部２６０および命令応答器読取書込部２６２において、送受信制御部２６６は、ユーザ応答器読取書込部２６０および命令応答器読取書込部２６２の各構成部分の動作を制御する。
また、送受信制御部２６６は、制御装置２１（図１）から入力されるデータを、変調回路２６８に対して出力する。
変調回路２６８は、送受信制御部２６６から入力されるデータで電波信号を変調し、送信回路２７０に対して出力する。
送信回路２７０は、ユーザ応答器３０または命令応答器３２に記憶させるデータ及びクロック信号などを含む電波信号を、アンテナ２６４を介して、ユーザ応答器３０または命令応答器３２に対して送信する。
【００２９】
受信回路２７２は、ユーザ応答器３０または命令応答器３２からの反射信号を受信し、送受信制御部２６６に対して出力し、送受信制御部２６６は、データの書込みが正常になされたか否かを確認する。
また、受信回路２７２は、ユーザ応答器３０または命令応答器３２からの情報を含む信号を受信し、復調回路２７４に対して出力する。
復調回路２７４は、受信回路２７２から入力された情報を復調し、送受信制御部２６６に対して出力する。
送受信制御部２６６は、復調された情報を、制御装置２１に対して出力する。
【００３０】
図３は、ユーザ応答器３０および命令応答器３２のハードウェア構成を例示する図である。
図３に示すように、ユーザ応答器３０および命令応答器３２は、アンテナ３２０およびＩＣチップ３３０から構成され、ＩＣチップ３３０は、電源部３４０、クロック再生部３３２、データ送受信部３３４、制御部３３６およびメモリ３３８から構成される。
ＩＣチップ３３０において、電源部３４０は、アンテナ３２０を介して供給される電波信号を整流して、ＩＣチップ３３０の各構成部分に対して、それらの動作に必要な電力を供給する。
【００３１】
クロック再生部３３２は、アンテナ３２０を介して、ユーザ応答器読取書込部２６０または命令応答器読取書込部２６２から供給される電波信号から、クロック信号を再生し、データ送受信部３３４、制御部３３６およびメモリ３３８に対して出力する。
データ送受信部３３４は、アンテナ３２０から入力される電波信号からデータ（質問データ）を復調し、クロック再生回路３３２から入力されるクロック信号に同期して、制御部３３６に対して出力する。
制御部３３６は、データ送受信部３３４からの質問データを分析し、質問データの内容に応じてユーザ応答器３０または命令応答器３２の構成部分全体を制御する。
メモリ３３８は、ユーザ情報、または、命令情報を記憶する。
【００３２】
制御部３３６は、たとえば質問データの内容がデータの読み出しである場合、メモリ３３８に記憶された情報を読み出す。
さらに、制御部３３６は、メモリ３３８から読み出したデータを含む応答データを作成し、データ送受信部３３４に対して出力する。
【００３３】
また、制御部３３６は、たとえば質問データの内容がデータの書き込みである場合（つまり質問データに書込符号が含まれる場合）、メモリ３３８に、質問データに含まれる情報を書き込み、または既存の情報を質問データに含まれる情報に書き換える。
さらに、制御部３３６は、データ書き込みの結果を示す応答データを、データ送受信部３３４に対して出力する。
また、制御部３３６は、情報の書き込みまたは書き換えが終了した場合に、ＬＥＤ３０２を発光させる。
【００３４】
データ送受信部３３４は、制御部３３６から応答データを受け入れて変調処理を行い、その処理の結果生成した応答データを含む反射信号を、アンテナ３２０を介して、ユーザ応答器読取書込部２６０または命令応答器読取書込部２６２に対して送信する。
【００３５】
図４は、図１に示した情報書き換え装置２において動作する情報書き換えプログラム３６を示すブロック・ダイアグラムである。
図４に示すように、情報書き換えプログラム３６は、ユーザ情報取得部３６２、命令情報取得部３６４、命令分析部３６６、情報書換処理部３６８および質問データ作成部３７０から構成される。
情報書き換えプログラム３６は、たとえば、記憶媒体２４０（図１）等を介して情報書き換え装置２に供給され、記憶部２１４にロードされ、情報書き換え装置２にインストールされたＯＳ（図示せず）上で、情報書き換え装置２のハードウェア資源を具体的に利用して実行される（以下に示す各ソフトウェアについても同様）。
【００３６】
情報書き換えプログラム３６において、ユーザ情報取得部３６２は、ユーザ応答器読取書込部２６０がユーザ応答器３０から読み取ったユーザ情報を取得して、情報書換処理部３６８に対して出力する。
命令情報取得部３６４は、命令応答器読取書込部２６２が命令応答器３２から読み取った命令情報を取得して、命令分析部３６６に対して出力する。
【００３７】
命令分析部３６６は、命令情報取得部３６４からの命令情報の内容を分析し、命令情報に含まれる命令を情報書換処理部３６８に対して出力する。
情報書換処理部３６８は、命令分析部３６６からの各命令に基づいて、ユーザ情報を書き換えるための処理を行い、処理結果を質問データ作成部３７０に対して出力する。
質問データ作成部３７０は、情報書換処理部３６８からの処理結果に基づいて質問データを作成し、ユーザ応答器読取書込部２６０に対して出力する。
【００３８】
図５は、各情報の構成を例示する図であり、（Ａ）はユーザ情報の構成を例示し、（Ｂ）は命令情報の構成を例示し、（Ｃ）は質問データ作成部３７０で作成される質問データの構成を例示する。
図５においては、例えば鉄道改札機および乗車カード等の、所定のゲートを通過する際にユーザ応答器３０を使用し、さらに、ユーザ応答器３０を電子マネーとして利用する場合について例示されている。
【００３９】
図５（Ａ）に示すように、ユーザ情報は、乗車カード等であるユーザ応答器３０のユーザの識別子（ユーザ識別子）と、鉄道改札機等を通過する際などにユーザ応答器３０がその鉄道改札機と通信したことを示す通過記録情報と、電子マネーの残高を示す残高情報とを含む。
図５（Ｂ）に示すように、命令情報は、命令応答器３２の識別子である応答器識別子と、通過記録情報を消去する等通過記録情報を書き換えるための命令である通過記録書換命令と、残高を加算または減算するための命令である加算減算命令と、加算または減算する金額を示す処理金額情報とを含む。
【００４０】
図５（Ｃ）に示すように、質問データは、書込符号と、ユーザ識別子と、通過記録書換命令と、加算減算金額情報とを含む。
なお、命令情報は、通過記録書換命令または加算減算命令のいずれか一方のみを含むようにしてもよく、この場合、質問データは、通過記録書換命令または加算減算金額情報のいずれか一方のみを含む。
【００４１】
図６は、情報書き換え装置２の処理（Ｓ１０）を示すフローチャートである。
ステップ１０２（Ｓ１０２）において、命令情報取得部３６４は、命令応答器読取書込部２６２が命令を読み取ったか否か判断し、読み取っていない場合には処理はＳ１０４に進み、読み取った場合には処理はＳ１０６に進む。
ステップ１０４（Ｓ１０４）において、制御装置２１は、ＵＩ装置２５を制御して、命令応答器３２を命令応答器読取書込部２６２に置くように表示する。
【００４２】
ステップ１０６（Ｓ１０６）において、ユーザ情報取得部３６２は、ユーザ応答器読取書込部２６０がユーザ情報を読み取ったか否か判断し、読み取っていない場合には処理はＳ１０８に進み、読み取った場合には処理はＳ１１０に進む。
ステップ１０８（Ｓ１０８）において、制御装置２１は、ＵＩ装置２５を制御して、ユーザ応答器３０をユーザ応答器読取書込部２６０に置くように表示する。
ステップ１１０（Ｓ１１０）において、命令分析部３６６は、読み取った命令の内容を分析する。
ステップ１１１（Ｓ１１１）において、ユーザ情報取得部３６２は、取得したユーザ情報から残高情報を取り出し一時保管する。
【００４３】
ステップ１１２（Ｓ１１２）において、命令分析部３６６は、通過記録書換命令を含むか否か判断し、含む場合には処理はＳ１１４に進み、含まない場合には処理はＳ１１６に進む。
ステップ１１４（Ｓ１１４）において、情報書換処理部３６８は、通過記録書換命令を質問データに追加するための処理を行う。
【００４４】
ステップ１１６（Ｓ１１６）において、命令分析部３６６は、加算減算命令を含むか否か判断し、含む場合には処理はＳ１１８に進み、含まない場合には処理はＳ１２４に進む。
ステップ１１８（Ｓ１１８）において、命令分析部３６６は、加算減算命令が加算命令であるか減算命令であるかを判断し、加算命令である場合には処理はＳ１２０に進み、減算命令である場合には処理はＳ１２２に進む。
【００４５】
ステップ１２０（Ｓ１２０）において、情報書換処理部３６８は、命令情報に含まれる処理金額情報に対応する加算値を一時保存した残高情報に加算した値を質問データに追加する処理を行う。
ステップ１２２（Ｓ１２２）において、情報書換処理部３６８は、命令情報に含まれる処理金額情報に対応する減算値を一時保存した残高情報から減算した値を質問データに追加する処理を行う。
ステップ１２４（Ｓ１２４）において、質問データ作成部３７０は、質問データに書込符号を追加する処理を行い、質問データを作成する。
ステップ１２６（Ｓ１２６）において、質問データ作成部３７０は、ユーザ応答器読取書込部２６０に対して質問データを送信し、ユーザ応答器読取書込部２６０は、ユーザ応答器３０に対して質問データを送信する。
【００４６】
なお、図６に示した各処理の順序などは、適宜、変更しても構わない。
このことは、以下に示すフローチャート等についても同様である。
【００４７】
図７は、ユーザ応答器３０の処理（Ｓ２０）を示すフローチャートである。
ステップ２０２（Ｓ２０２）において、制御部３３６（図３）は、ユーザ応答部読取書込部２６０（図１）から受信した質問データに読込符号が含まれるか書込符号が含まれるかを判断し、読込符号が含まれる場合には処理はＳ２０４に進み、書込符号が含まれる場合には処理はＳ２０６に進む。
ステップ２０４（Ｓ２０４）において、制御部３３６は、メモリ３３８に記憶された情報を読み出してデータ送受信部３３４に対して出力し、データ送受信部３３４は、その情報を、アンテナ３２０を介してユーザ応答器読取書込部２６０に対して送信する。
【００４８】
ステップ２０６（Ｓ２０６）において、制御部３３６は、受信した質問データが自身のユーザ識別子を含むか否かを判断し、含む場合には処理はＳ２０８に進み、含まない場合には処理は終了する。
ステップ２０８（Ｓ２０８）において、制御部３３６は、受信した質問データに含まれる情報に基づいて、メモリ３３８に記憶されている情報を書き換える。
ステップ２１０（Ｓ２１０）において、制御部３３６は、ＬＥＤ３０２を発光させる。
【００４９】
従来、ユーザ応答器３０に記憶されたユーザ情報を書き換える場合、管理者（鉄道改札の例では駅員等）が手入力によって書き換えられていた。
一方、本実施形態のように、命令応答器３２を使用すれば、ユーザ応答器３０に記憶されたユーザ情報を書き換える場合に、手入力等が必要ない。
なお、本実施形態（鉄道改札での入出場の際などの記憶媒体の処理）では、鉄道改札および乗車カードの例を示したが、レストランや遊戯施設等においても使用可能である。
【００５０】
本実施形態においては、命令応答器読取書込部２６２は、情報の読みとりおよび書込みを行うようにしたが、命令応答器読取書込部２６２は、読取機能のみを有するように構成してもよい。
また、本実施形態においては、読取書込装置２６はユーザ応答器読取書込部２６０および命令応答器読取書込部２６２を有するとしたが、１つの読取書込部のみを有するように構成してもよい。
この場合、単独の読取書込部は、先に命令応答器３２から命令を読み取り、その後、ユーザ応答器３０と情報の書込みおよび読み取りを行うようにしてもよい。
【００５１】
［第２実施形態］
次に、第２の実施形態における画像形成装置４の構成を説明する。
図８は、第２の実施形態にかかる画像形成装置４の構成を例示する図である。
図８に示すように、画像形成装置４は、画像形成装置本体４０、通信装置２２、操作部４１０、命令応答器読取書込部４２０および識別カード読取部４２２から構成される。
画像形成装置本体４０は、制御装置２１、文書タグ読取書込部４０２、画像読取装置４０４および印刷装置４０６から構成される。
【００５２】
画像読取装置４０４は、例えばスキャナ等であって、用紙等の画像記録媒体Ｓから画像等を読み取って画像データに変換する。
印刷装置４０６は、文字データまたは画像データ等を画像記録媒体Ｓに印刷する。
操作部４１０は、ユーザからの操作を受け入れ、制御装置２１は、この受け入れた操作に応じて動作する。
制御装置２１は、画像形成装置４の各構成部分の動作を制御する。
【００５３】
命令応答器読取書込部４２０は、図２に示した命令応答器読取書込部２６２のハードウェア構成と同様の構成を有し、命令応答器５２に記憶された命令を読み取る。
ここで、命令応答器５２は、図３に示した命令応答器３２のハードウェア構成と同様の構成を有する命令記憶媒体であって、図１０を用いて後述する命令情報を記憶する。
【００５４】
識別カード読取部４２２は、識別カード５４に記憶された情報を読み取る。
ここで、識別カード５４は、ユーザの識別子を記憶する識別子記憶媒体であって、図１０を用いて後述するように、ユーザの識別に関する情報（ユーザ識別情報）を記憶する。  制御装置２１は、この識別カード５４から読み取られたユーザ識別子に基づいて認証を行い、このユーザがこの文書を利用できると判断された場合のみ、印刷装置４０６に対して画像記録媒体Ｓに記録された文書をコピーするように制御する。
【００５５】
文書タグ読取書込部４０２は、図２に示したユーザ応答器読取書込部２６０のハードウェア構成と同様の構成を有し、画像記録媒体Ｓに付された文書タグ５０に記憶された情報を読み取り、また、命令応答器５２から読み取られた命令に基づいて、文書タグ５０に記憶された情報を書き換える。
ここで、文書タグ５０は、図３に示したユーザ応答器３０のハードウェア構成と同様の構成を有する情報記憶媒体であって、図１０を用いて後述するように、その画像記録媒体Ｓの文書に関する情報（文書情報）を記憶する。
【００５６】
図９は、図８に示した画像形成装置４において動作する情報書き換えプログラム４４を示すブロック・ダイアグラムである。
図９に示すように、情報書き換えプログラム４４は、ユーザ識別情報取得部４４０、文書情報取得部４４２、命令情報取得部４４４、命令分析部４４６、情報書換処理部４４８および質問データ作成部４５０から構成される。
【００５７】
情報書き換えプログラム４４において、ユーザ識別情報取得部４４０は、識別カード読取部４２２が識別カード５４から読み取ったユーザ識別情報を取得して、情報書換処理部４４８に対して出力する。
ユーザ情報取得部４４２は、文書タグ読取書込部４０２が文書タグ５０から読み取った文書情報を取得して、情報書換処理部４４８に対して出力する。
命令情報取得部４４４は、命令応答器読取書込部４２０が命令応答器５２から読み取った命令情報を取得して、命令分析部４４６に対して出力する。
【００５８】
命令分析部４４６は、命令情報取得部４４４からの命令情報の内容を分析し、命令情報に含まれる命令を情報書換処理部４４８に対して出力する。
情報書換処理部４４８は、ユーザ識別情報と命令分析部４４６からの各命令とに基づいて、ユーザ識別情報に対応する文書情報を書き換えるための処理を行い、処理結果を質問データ作成部４５０に対して出力する。
質問データ作成部４５０は、情報書換処理部４４８からの処理結果に基づいて質問データを作成し、文書タグ読取書込部４０２に対して出力する。
【００５９】
図１０は、各情報の構成を例示する図であり、（Ａ）は文書情報の構成を例示し、（Ｂ）は命令情報の構成を例示し、（Ｃ）はユーザ識別情報を例示し、（Ｄ）は質問データ作成部４５０で作成される質問データの構成を例示する。
【００６０】
図１０（Ａ）に示すように、文書情報は、その文書の識別子である文書識別子と、その文書を利用した（例えばその文書のコピーをした）ユーザのユーザ識別子と、各ユーザについての利用制限（コピー制限）回数を示す利用制限回数情報と、各ユーザがその文書を利用した回数を示す利用回数情報と、各ユーザがその文書を利用した時刻を示す利用時刻情報とを含む。
図１０（Ｂ）に示すように、命令情報は、命令応答器５２の識別子である応答器識別子と、利用制限回数を増減させる等利用制限情報を書き換えるための命令である利用制限回数書換命令と、利用回数をリセットするための命令である利用回数リセット命令とを含む。
図１０（Ｃ）に示すように、ユーザ識別情報は、その識別カードのユーザの識別子であるユーザ識別子と、そのユーザの所属する部署および役職等を示すユーザ属性情報とを示す。
【００６１】
図１０（Ｄ）に示すように、質問データは、書込符号と、ユーザ識別子と、利用制限回数書換命令と、利用回数リセット命令とを含む。
なお、命令情報は、データ構造として例えば命令の種類と回数とを表す数値から成り立っているが、その意味するところは現在の利用制限回数に対して加算される値である場合や、利用回数の場合０ということもあるし、現在の利用回数に対して減算する値である場合もある。また予めデータの位置が命令の種類を規定している場合は数値だけを持つ構造としても良い。
さらに命令情報は利用制限回数書換命令または利用回数リセット命令のいずれか一方のみを含むようにしてもよく、この場合、質問データは、利用制限回数書換命令または利用回数リセット命令のいずれか一方のみを含む。
この質問データを受信した文書タグ５０は、質問データに利用制限回数書換命令が含まれている場合には、その利用制限回数書換命令に基づいて利用制限回数情報を書き換え、質問データに利用回数リセット命令が含まれる場合には、その利用回数リセット命令に基づいて利用回数情報が示す回数を０にリセットする。
【００６２】
ここで、例えば、ある文書の利用制限回数（コピー制限回数）が５回であって、ユーザＡがその文書をすでに５回コピーしてしまっているが、重要な会議等に必要なためその文書をコピーする場合を考える。
この場合、利用制限回数を増加させる利用制限回数書換命令を含む命令応答器５２を使用して、文書タグ５０に記憶されたユーザＡの識別子に対応する利用制限回数情報を書き換えることによって、ユーザＡは、その文書をコピーできる。
【００６３】
また、利用回数リセット命令を含む命令応答器５２を使用して、文書タグ５０に記憶されたユーザＡの識別子に対応する利用回数情報を書き換えることによって、ユーザＡは、その文書をコピーできる。
この場合、ユーザ属性情報に応じて、利用制限回数の増分を決定するように構成してもよい。
例えば、ユーザ属性情報が示す属性が高い役職である場合には、利用制限回数の増分を大きく（または無限に）するようにしてもよい。
なお、利用制限回数情報が示す利用制限回数を０回とした場合には、その文書のコピーは禁止される。
【００６４】
図１１は、画像形成装置４の処理（Ｓ３０）を示すフローチャートである。
ステップ３００（Ｓ３００）において、識別カード読取部４２２は、識別カード５４からユーザ識別情報を読み取る。
ステップ３０２（Ｓ３０２）において、文書タグ読取書込部４０２は、文書タグ読取書込部４０２から文書情報を読み取る。
ステップ３０４（Ｓ３０４）において、命令情報取得部４４４は、命令応答器読取書込部４２０が命令応答器５２から命令を読み取ったか否か判断し、読み取った場合には処理はＳ３０６に進み、読み取っていない場合には処理はＳ３３０に進む。
【００６５】
ステップ３０６（Ｓ３０６）において、命令分析部４４６は、利用回数リセット命令を含むか否か判断し、含む場合には処理はＳ３０８に進み、含まない場合には処理はＳ３１０に進む。
ステップ３０８（Ｓ３０８）において、情報書換処理部４４８は、識別カードから読み取ったユーザ識別子に対応する利用回数をリセットするための利用回数リセット命令を、質問データに追加するための処理を行う。
【００６６】
ステップ３１０（Ｓ３１０）において、命令分析部４４６は、利用制限回数書換命令を含むか否か判断し、含む場合には処理はＳ３１２に進み、含まない場合には処理はＳ３１４に進む。
ステップ３１２（Ｓ３１２）において、情報書換処理部４４８は、識別カードから読み取ったユーザ識別子に対応する利用制限回数を書き換えるための利用制限回数書換命令を、質問データに追加するための処理を行う。
【００６７】
ステップ３１４（Ｓ３１４）において、質問データ作成部４５０は、質問データに書込符号を追加する処理を行い、質問データを作成する。
ステップ３１６（Ｓ３１６）において、質問データ作成部４５０は、文書タグ読取書込部４０２に対して質問データを送信し、文書タグ読取書込部４０２は、文書タグ５０に対して質問データを送信する。
この質問データを受信した文書タグ５０は、質問データに含まれる命令に基づいて、文書情報を書き換える。
【００６８】
ステップ３３０（Ｓ３３０）において、制御装置２１は、文書タグ５０から読み取った文書情報に、識別カード５４から読み取ったユーザ識別子が含まれるか否かを判断し、含まれる場合には処理はＳ３３２に進み、含まれない場合には処理はＳ３３６に進む。
ステップ３３２（Ｓ３３２）において、制御装置２１は、ユーザ識別子に対応するコピー回数（利用回数）が制限回数未満か否かを判断し、制限回数未満である場合には処理はＳ３４０に進み、制限回数以上である場合には処理はＳ３３４に進む。
ステップ３３４（Ｓ３３４）において、制御装置２１は、操作部４１０等を動作させて警告を出し、コピー動作を中止する。
この場合、命令応答器５２を使用して文書タグ５０内の情報を書き換え、コピー動作を続行させるように処理を進めてもよい。
【００６９】
ステップ３３６（Ｓ３３６）において、制御装置２１は、識別カード５４から読み取ったユーザ識別子が文書タグ５０に関する文書のコピーを許可されているか否かを判断し、許可されていない場合には処理はＳ３３４に進み、許可されている場合には処理はＳ３３８に進む。
ステップ３３８（Ｓ３３８）において、文書タグ読取書込部４０２は、文書タグ５０の文書情報に、識別カード５４から読み取ったユーザ識別子および制限回数を書き込むための処理を行う。
【００７０】
ステップ３４０（Ｓ３４０）において、文書タグ読取書込部４０２は、識別カード５４から読み取ったユーザ識別子に対する利用回数を１増加し、文書タグ５０の文書情報に書き込むための処理を行う。
ステップ３４２（Ｓ３４２）において、制御装置２１は、印刷装置４０６を動作させて、コピー動作を行う。
【００７１】
従来、文書タグ５０に利用制限情報が記憶されている場合、その利用回数制限を越えてコピー等したい状況が生じても、そのユーザはコピーすることができなかった。
また、文書タグ５０に記憶された文書情報を書き換えることができる場合であっても、システム管理者が端末を操作する等によって書き換えられていた。
一方、本実施形態のように、命令応答器５２を使用すれば、文書タグ５０に記憶された文書情報を書き換える場合に、端末の操作等が必要ない。
【符号の説明】
【００７２】
１・・・情報書き換えシステム，
２・・・情報書き換え装置，
２１・・・制御装置，
２６・・・読取書込装置，
２６０・・・ユーザ応答器読取書込部，
２６２・・・命令応答器読取書込部，
２６４・・・アンテナ，
２６６・・・送受信制御部，
２６８・・・変調回路，
２７０・・・送信回路，
２７２・・・受信回路，
２７４・・・復調回路，
３６・・・情報書き換えプログラム，
３６２・・・ユーザ情報取得部，
３６４・・・命令情報取得部，
３６６・・・命令分析部，
３６８・・・情報書換処理部，
３７０・・・質問データ作成部，
３０・・・ユーザ応答器，
３２・・・命令応答器，
３２０・・・アンテナ，
３３０・・・ＩＣチップ，
３４０・・・電源部，
３３２・・・クロック再生部，
３３４・・・データ送受信部，
３３６・・・制御部，
３３８・・・メモリ，
４・・・画像形成装置，
４０・・・画像形成装置本体，
４０２・・・文書タグ読取書込部，
４０４・・・画像読取装置，
４０６・・・印刷装置，
４１０・・・操作部，
４２０・・・命令応答器読取書込部，
４２２・・・識別カード読取部，
４４・・・情報書き換えプログラム，
４４０・・・ユーザ識別情報取得部，
４４２・・・文書情報取得部，
４４４・・・命令情報取得部，
４４６・・・命令分析部，
４４８・・・情報書換処理部，
４５０・・・質問データ作成部，
５０・・・文書タグ，
５２・・・命令応答器，
５４・・・識別カード，
【図１】
2011043896.tif 000003
【図２】
2011043896.tif 000004
【図３】
2011043896.tif 000005
【図４】
2011043896.tif 000006
【図５】
2011043896.tif 000007
【図６】
2011043896.tif 000008
【図７】
2011043896.tif 000009
【図８】
2011043896.tif 000010
【図９】
2011043896.tif 000011
【図１０】
2011043896.tif 000012
【図１１】
2011043896.tif 000013